(57)【要約】【課題】    ＲＣに打ち込まれるアンカープレートの、鉄筋との干渉あるいは接触を回避するか、接触した場合の剥がれが等の不具合を防止する、と同時に必要強度も確保する。【解決手段】  曲げアンカープレートは、曲げ上げ高さをかぶり厚さ以下にすることで、鉄筋との干渉を回避できる。また、曲げ上げ部分がコンクリート内に埋設（アンカー）されるため、課題となる剪断耐力が確保できる。また、アンカーを偏芯させるか又は可動性を持たせると言う手段でも、鉄筋との干渉回避ができる。【選択図】図３
2012233386.tif 000002
【特許請求の範囲】
【請求項１】
鉄筋コンクリート表層部に打ち込まれるアンカープレートにおいて、そのプレートの辺長を１５０ｍｍ以内とし、そのプレート端部を曲げ上げ、その曲げ上げ高さを鉄筋のかぶり厚さ以下とした、曲げアンカープレート。
【請求項２】
鉄筋コンクリート表層部に打ち込まれるアンカープレートにおいて、その辺長を１５０ｍｍ以内とし、アンカー部分と鉄筋の干渉を避けるため、プレートの中心位置を避けてアンカーを取り付けたことを特徴とする、偏芯アンカープレート。
【請求項３】
鉄筋コンクリート表層部に打ち込まれるアンカープレートにおいて、その辺長を１５０ｍｍ以内とし、アンカー部分と鉄筋の干渉を避けるため、プレートに可動式アンカーを取り付けたことを特徴とする、可動式アンカープレート。
【発明の詳細な説明】
【技術分野】
【０００１】  本発明は、ＡＬＣ板、押し出し成形セメント板又はプレキャストコンクリート（以下、ＰＣａ）部材等の固定用として、鉄筋コンクリート構築物の表層に打ち込まれる、板状金物（以下、アンカープレート）に関するものである。
【背景技術】
【０００２】  従来のアンカープレート（従来例）は、図１０に示す形状が多い。図１１は従来例の施工状況説明図である。アンカープレートは、型枠（１）に取り付けられ、充填されるコンクリート（２）の硬化と共に、鉄筋コンクリート構築物の表層に固定される。アンカープレートは、型枠への取り付けなどの際、鉄筋（３）とアンカー（４）が干渉（ここでは近接することを言う）あるいは接触することがある。この干渉によってアンカープレートが所定の位置に設置できなかったり、この接触によってアンカープレートが型枠（１）から剥がれたりずれたりすることがある。【０００３】  一般に、鉄筋とアンカー（４）が近接した場合、干渉等を防止するため、鉄筋を切断又は曲げ加工してアンカーと鉄筋の隔離距離を確保する。しかしこの鉄筋の切断や曲げ加工は、鉄筋組立やアンカープレート取り付けの作業工数や作業時間を増加させてしまう。【０００４】  これらの不具合を解消する工法として、実用新案文献１に、線アンカーと鉄筋との干渉を避ける「低温用貯槽における外槽ライナープレート固定用のアンカー」が示されている。ここには、鉄筋との干渉を避けかつ必要な剪断強度を確保する考案が示されている。しかし、これは貯槽を前提とした線アンカー（ある程度の長さを有する構造）の考案であるため、アンカーと同一方向の圧縮力により抜け出す方向に応力が発生してしまう（図１４参照）。【０００５】  図１２に一般のアンカープレート（１４）とＡＬＣ壁（７）の代表的な納まりを示す。アンカープレート（１４）には定規アングル（１０）が溶接等で固定され、定規アングル（１０）とＡＬＣ壁（７）を挟み込む様に稲妻プレート（１１）が設置され、ＡＬＣ（７）が固定される。ＡＬＣ壁（７）に加わる風圧力等は、図１３に示すアンカープレートの面内方向の作用外力（８）として、定規アングル（１０）を介しアンカープレートに伝達される。上下方向の作用外力（９）は、ＡＬＣからアンカープレートに伝達される力が小さい。  アンカープレートの面内方向の作用外力（８）に対抗するの必要剪断耐力は、一箇所当たり１０ｋＮ（１ｔ）程度である。
【先行技術文献】
【特許文献】
【０００６】
【特許文献１】  実用新案公開平６−４７１９６
【発明の概要】
【発明が解決しようとする課題】
【０００７】  本発明は、線アンカーに発生する上記抜けだし応力の発生を防止した上で、アンカープレートと鉄筋の干渉や接触を防止すること、あるいは干渉や接触に伴う剥がれやずれを防止できる、簡単な構造のアンカープレートの提供を目的とする。
【課題を解決するための手段】
【０００８】  「線アンカーの抜けだし応力発生、及び鉄筋とアンカーの干渉や接触」を同時に防止するため、
本発明は、鉄筋コンクリート表層部に打ち込まれるアンカープレートにおいて、その
2012233386.tif 000003
上げ、その曲げ上げ高さを鉄筋のかぶり厚さ以下とした構造となっている。
【発明の効果】
【０００９】  本発明品は、線アンカー（先行技術例）と比べ抜け出し応力が小さいため、軸力の大きな部材（超高層建築の柱等）へも本発明のアンカープレートが設置可能となる他、曲げアンカープレートの場合、剪断力に対抗する面積が大きいため、大きな耐力が期待できる。
また、鉄筋とアンカーとの干渉による鉄筋の切断あるいは曲げ加工が不要となり、省力化や省資源化が図られる他、本発明の代表例（図１）では、簡単な構造（その形状が単純）であるため、従来品と比較し製造コストも抑えられる。
【図面の簡単な説明】
【００１０】
【図１】曲げアンカープレートの姿図である。
【図２】曲げアンカープレートの側面図である。
【図３】曲げアンカープレートの施工状況説明図である。
【図４】偏芯アンカープレートの側面図である。
【図５】偏芯アンカープレートの平面図である。
【図６】偏芯アンカープレートの施工状況説明図である。
【図７】可動アンカープレート実施例２の断面図である。
【図８】可動アンカープレート変形例の断面図である。
【図９】曲げアンカープレート変形例の断面図である。
【図１０】一般的なアンカープレートの説明図である。
【図１１】一般的なアンカープレートの施工状況説明図である。
【図１２】一般的なアンカープレートの使用状況説明用納まり図である。
【図１３】アンカープレートに作用する外力方向の説明図である。
【図１４】先行技術例の発生応力説明図である。
【図１５】曲げアンカープレート試験状況説明図である。
【発明を実施するための形態】
【００１１】  図３は、本発明である曲げアンカープレートの施工状況説明図である。一般に屋内環境での鉄筋コンクリート最小かぶり厚さ（必須の厚さ）は、ＪＡＳＳ５で２０ｍｍと記載されている。設計かぶり厚さは、施工誤差を５〜１０ｍｍと見込んで２５〜３０ｍｍとすることが多い。このため、アンカー高さ（６ｈ）を、例えば２０ｍｍ以下とすれば、鉄筋とアンカープレートは高さ方向に隔離距離を保てるため、互いの干渉は防止できる。即ち、アンカー高さを最小かぶり厚さ以下とすれば良い。また、鉄筋の平面位置からアンカーの平面位置をずらすことによっても、鉄筋との干渉は防止できる。その他にも、アンカーに可動性を持たせた場合、仮に干渉や接触があってもアンカープレートの剥離等の不具合が防止できる。
【００１２】  また、線アンカー（先行技術例・図１４）で発生する抜け出し応力は、長さ方向を小さくすることで、その応力の発生を極小化できる。これらの形態を駆使した本発明の実施例を、図面にしたがって以下に説明する。
【実施例】
【００１３】  実施例１は、図１〜３に示す曲げアンカープレートである。この曲げアンカープレートは、その高さを最小かぶり以下とすることで鉄筋との干渉を防止している。
また、平面寸法は一辺の長さが１５０ｍｍであるため、線アンカーで起こる抜け出し応力は極小化されており、例えば圧縮応力の大きな柱等へも適用できる。必要とされる剪断力は、曲げ上げ部分が全面積で抵抗するため、方向性は生じるものの、大きな耐力が確保できる。【００１４】  実施例１では、例えば一辺を１００ｍｍとした曲げアンカープレートの実験結果から、剪断強度は図１５に示す加力方向２３で、４ｔ以上の強度が確保できている（十分な強度であるため、試験器の都合により４ｔで試験終了）。また、曲げ剪断試験加力位置（２４）での測定結果（曲げモーメントと剪断力を同時に加えた実験）では、従来品（図１０）が２．４ｔであったのに対し曲げアンカープレートは２．６ｔとなり、この様な応力に対しても同等以上の耐力を発揮する。なお、本実験で使用したコンクリートは設計基準強度３６Ｎ、アンカーに使用した鋼材はクロメート処理したもので、万能試験機▲１３▼▲１▼Ｘ５ｔオートグラフ（島津製作所製）を使用した。このため、載荷荷重は最大４ｔまでとした。【００１５】  実施例２は、図４〜６に示す偏芯アンカープレートである。この偏芯アンカープレートは、プレート（５）の中心位置を避けてアンカー（４）が取り付けられているため、アンカー（４）が４Ａの様に鉄筋と干渉しそうな場合、偏芯アンカープレート全体を回転させることで、干渉しない位置（図４のアンカー４参照）へ取り付けることができる。【００１６】  実施例２でも、平面寸法は一辺の長さが１５０ｍｍであるため、線アンカーで起こる抜け出し応力は極小化されており、例えば圧縮応力の大きな柱等へも実施例１同様適用できる。また、必要とされる剪断力は、従来例と同等で必要な強度に合わせアンカー長さが調整できる。【００１７】  実施例３は、図７に示す可動式アンカープレートである。これは、可動式アンカー（１５）部分が回転移動出来る構造であるため、アンカー部分と鉄筋が干渉した場合、アンカー部を回転移動させることで干渉が回避できる。【００１８】  実施例３でも、平面寸法は一辺の長さが１５０ｍｍであるため、線アンカーで起こる抜け出し応力は極小化されており、例えば圧縮応力の大きな柱等へも実施例１同様適用できる。また、必要とされる剪断力は、従来例と同等で必要な強度に合わせアンカー長さが調整できる。【００１９】  図８は、可動式アンカープレートの変形例である。この変形例は、アンカー部が柔軟性を持つワイヤーで出来ている。このワイヤーアンカー（１６）部分と鉄筋（３）が接触した場合、ワイヤーが曲がり干渉や接触に伴う剥がれ等の不具合が発生しない。【００２０】  図９は、実施例１の曲げアンカープレートの変形例である。この変形例は、プレート上に取り付けられたアンカーナット（一般にインサートと呼ばれるアンカーボルトの逆形状品）が取り付けられている。この変形例のように、アンカーナットと曲げアンカーを併用した場合、アンカーナット単体での使用に比べ、各種強度が増加する。この変形例は、大きな耐力が必要で、かつ、かぶり厚さ内でアンカープレートを納めたい場合等に有効である。
【産業上の利用可能性】
【００２１】  本発明は、工場生産が可能である。実施例によっては単純な形状であるためコストの低減効果も高い。また、この発明品を建設現場で使用した場合、鉄筋とアンカーの干渉を処置したり考慮したりする必要が無いため、現場での省力化や省資源化（鉄筋の切断・補強が不要となるため）が期待できる他、ＰＣａ製造工場等で使用した場合、作業が単純化出来るため、ロボットの導入が容易となる。
【符号の説明】
【００２２】１      型枠
２      コンクリート
３      鉄筋
４      アンカー
５      プレート
６ｈ    アンカー高さ
７      ＡＬＣ壁
８      面内方向の作用外力
９      上下方向の作用外力
１０    定規アングル
１１    稲妻プレート
１２    曲げアンカープレート
１３ｈ  かぶり厚さ
１４    一般のアンカープレート
１５    可動式アンカー
１６    ワイヤーアンカー
１７    曲げアンカー部分
１８ｈ  アンカーナット高さ
１９    アンカーナット
２０    試験機加力ベース
２１    試験体（コンクリート）
２２    加力棒
２３    剪断試験加力位置
２４    曲げ剪断試験加力位置
２５ｗ  アンカープレートの辺長
２６    線アンカー
２７    圧縮応力の方向
２８    抜け出し応力の方向
２９    偏芯アンカープレート
３０    可動式アンカープレート
３１    ワイヤーアンカープレート
【図１】
2012233386.tif 000004
【図２】
2012233386.tif 000005
【図３】
2012233386.tif 000006
【図４】
2012233386.tif 000007
【図５】
2012233386.tif 000008
【図６】
2012233386.tif 000009
【図７】
2012233386.tif 000010
【図８】
2012233386.tif 000011
【図９】
2012233386.tif 000012
【図１０】
2012233386.tif 000013
【図１１】
2012233386.tif 000014
【図１２】
2012233386.tif 000015
【図１３】
2012233386.tif 000016
【図１４】
2012233386.tif 000017
【図１５】
2012233386.tif 000018